(57)【特許請求の範囲】
【請求項１】
モータと、
前記モータが固定される固定ベースと、
第１の装飾部が設けられているとともに前記固定ベースに軸着されており、前記モータの駆動に応じて収納状態と展開状態との間を回転する第１装飾部材と、
第２の装飾部が設けられているとともに前記第１装飾部材に隣接して設けられており、前記第１装飾部材の回転に連動して収納状態と展開状態との間を移動する第２装飾部材と、
一端側が前記第２装飾部材に、他端側が前記固定ベースに夫々連結される複数のアーム、及び一端側が前記第１装飾部材に、他端側が前記アームのうちの１つに夫々連結されるリンクアームを含むリンク機構と
を備えている
ことを特徴とする遊技機。
【発明の詳細な説明】
【技術分野】
【０００１】
本発明は、パチンコ機を始めとする遊技機に関する。
【背景技術】
【０００２】
従来、遊技機において、遊技の演出のため、遊技球が流下する遊技領域に、装飾部材を移動させる可動装飾装置（可動役物，可動体）が設けられている。
【０００３】
かような遊技機の可動役物として、下記特許文献１に記載のものが知られている。
この可動役物は、腕形状の第１可動物１１０と、これに取り付けられており回動軸１２２を有するボクシンググローブ形状の第２可動物１２０と、モータ１３０と、モータ１３０により上下移動する第１ラック１４０を備えている。第１可動物１１０の第１プレート１５０の第１溝部１５１及び第２溝部１５２には、第１ラック１４０の突起部１４１が挿入されており、モータ１３０により移動する第１ラック１４０の突起部１４１が第１溝部１５１に沿って移動することで、第１可動物１１０や第２可動物１２０が移動する。
又、第１可動物１００内を直線状に移動可能な第２ラック１６０が第１可動物１００に取り付けられている。第２ラック１６０の下端には、第２溝部１５２内を移動する突起部１４１に当接する作動レバー１６１が形成されており、突起部１４１が作動レバー１６１を押すことで第２ラック１６０が上方に移動する。
第２ラック１６０は、第２可動物１２０の回動軸１２２に対して、複数のギヤから成る第２機構部１８０を介して噛み合っており、第２ラック１６０が上方に移動すると、第２可動物１２０の回動軸１２２が回転し、第２可動物１２０は、「ＫＯ！」の文字を表示した板状部１２１が遊技者側に向くように動作する。
【０００４】
又、遊技機の可動体として、下記特許文献２に記載のものが知られている。
この可動体は、伸縮リンク機構１１０を備えている。
伸縮リンク機構１１０は、装置本体１０２に対して回転可能に連結された第１アーム１１１と、装置本体１０２に対して回転可能に連結され、第１アーム１１１と平行な第２アーム１１２と、第１アーム１１１及び第２アーム１１２のそれぞれに対して回転可能に連結され、装置本体１０２に対する第１アーム１１１及び第２アーム１１２の支軸１１５，１１６を結ぶ直線と平行に延在する第３アーム１１３と、第３アーム１１３に対して回転可能に連結され、第１アーム１１１及び第２アーム１１２と平行な第４アーム１１４を備えている。
伸縮リンク機構１１０の伸張端部には、可動体１２５が設けられており、伸縮リンク機構１１０が折り畳み状態となると、可動体１２５は遊技盤２０の裏側に隠れる位置に移動され、伸縮リンク機構１１０が伸張状態となると、可動体１２５は図柄表示装置１８の表示部１８ａの前側に重なる位置に大きく移動される。
【先行技術文献】
【特許文献】
【０００５】
【特許文献１】特開２０１３−２４８１５０号公報
【特許文献２】特開２０１３−１８０１４７号公報
【発明の概要】
【発明が解決しようとする課題】
【０００６】
特許文献１の可動役物では、第１ラック１４０ないし第２ラック１６０により、第１可動物１１０及び第２可動物１２０の移動と、第２可動物１２０の回転が行える。しかし、第２可動物１２０は、第１可動物１１０と共に移動するため、移動の態様としては機械的であり、比較的興趣に乏しい。又、長尺部材である第１ラック１４０ないし第２ラック１６０が必要となり、設置に比較的大きなスペースが必要となる。
特許文献２の可動体では、伸縮リンク機構１１０により、折り畳み時にコンパクトでありながら大きな移動が可能となっている。しかし、折り畳み状態から伸張状態まで直線状に移動するため、やはり移動の態様としては機械的であり、比較的興趣に乏しい。
そこで、本発明は、第１の状態（折り畳み状態，収納状態）でコンパクトでありながら、機械的ではないリアルな動作が可能であり、又大きな動作が可能である可動装飾装置を備えた遊技機を提供することを目的としたものである。
【課題を解決するための手段】
【０００７】
上記目的を達成するために、請求項１に記載の発明は、モータと、前記モータが固定される固定ベースと、第１の装飾部が設けられているとともに前記固定ベースに軸着されており、前記モータの駆動に応じて収納状態と展開状態との間を回転する第１装飾部材と、第２の装飾部が設けられているとともに前記第１装飾部材に隣接して設けられており、前記第１装飾部材の回転に連動して収納状態と展開状態との間を移動する第２装飾部材と、一端側が前記第２装飾部材に、他端側が前記固定ベースに夫々連結される複数のアーム、及び一端側が前記第１装飾部材に、他端側が前記アームのうちの１つに夫々連結されるリンクアームを含むリンク機構とを備えていることを特徴とするものである。
【発明の効果】
【０００８】
本発明によれば、第１装飾部材が回転すると共に第２装飾部材がリンク機構により移動するので、収納状態でコンパクトでありながら、第１装飾部材の回転に第２装飾部材の移動が伴う態様のリアルな動作が可能であり、又特に第２装飾部材において大きな動作が可能である可動装飾装置を備えた遊技機を提供することができる、という効果を奏する。
【図面の簡単な説明】
【０００９】
【図１】本発明に係るパチンコ機の前面説明図である。
【図２】図１のパチンコ機に係る遊技盤の、可動装飾装置が収納状態である場合の前面説明図である。
【図３】図２の遊技盤の、可動装飾装置が展開状態である場合の前面説明図である。
【図４】図１のパチンコ機の後面説明図である。
【図５】図２の遊技盤に係る収納状態の可動装飾装置の（ａ）前面説明図，（ｂ）各種の装飾体を外した場合の前面説明図である。
【図６】図５の可動装飾装置の（ａ）後面説明図，（ｂ）各種の装飾体を外した場合の後面説明図である。
【図７】図５の状態から展開状態となった可動装飾装置の（ａ）前面説明図，（ｂ）各種の装飾体を外した場合の前面説明図である。
【図８】図６の状態から展開状態となった可動装飾装置の（ａ）後面説明図，（ｂ）各種の装飾体を外した場合の後面説明図である。
【図９】図５の可動装飾装置の分解斜視説明図（前面・右面・上面）である。
【図１０】図５の可動装飾装置の、各種の装飾体を外した場合における分解斜視説明図（前面・右面・上面）である。
【図１１】図５の可動装飾装置の分解斜視説明図（後面・左面・上面）である。
【図１２】図５の可動装飾装置の、各種の装飾体を外した場合における分解斜視説明図（後面・左面・上面）である。
【発明を実施するための形態】
【００１０】
以下、本発明に係る実施の形態の例につき、適宜図面に基づいて説明する。
【００１１】
［パチンコ機の全体構成等］
図１は遊技機の一例であるパチンコ機１の前面説明図であり、図２，図３はパチンコ機１の遊技盤２の前面説明図であり、図４はパチンコ機１の後面説明図である。
パチンコ機１は、遊技盤２の前面に形成された遊技領域４に遊技球を打ち込み流下させて遊技するものである。
パチンコ機１は、その上下左右を覆う機枠６と、機枠６に片開き可能に設けられた金属製のミドル枠８を備えており、ミドル枠８の前面上部に、遊技盤２が設置されている。
パチンコ機１の前面上部において、透明板を嵌めた前扉１０が、機枠６に対し片開き可能に設けられている。遊技盤２前面の遊技領域４は、閉じた前扉１０によって閉塞される。
【００１２】
遊技領域４は、遊技盤２の前面に円弧状に配置された外レール１２及び内レール１４等によって囲まれており、遊技領域４の左部における外レール１２と内レール１４の間が、遊技球を遊技領域４内へ導入するための発射通路１６とされている。
遊技領域４の中央には、液晶ディスプレイを始めとする表示装置の画面により構成される演出用表示部１８が設けられている。演出用表示部１８では、「０」〜「９」の数字からなる装飾図柄や、キャラクター、背景等を表示することが可能である。
演出用表示部１８の前側周囲を装飾するセンター装飾部材２０が、遊技盤２に設置されている。センター装飾部材２０の左上部には、その左下外側に発射通路１６からの遊技球を導く遊技球通路が内蔵されており、センター装飾部材２０の右部には、その右下外側に発射通路１６からの遊技球を導く遊技球通路が内蔵されている。
センター装飾部材２０の後側には、第１装飾部材としての基側可動装飾部２２と、その左側に隣接して配される第２装飾部材としての先側可動装飾部２４を有する可動装飾装置２５が設置されている。基側可動装飾部２２ないし先側可動装飾部２４は、第１の状態である収納状態から第２の状態である展開状態まで可動であり、収納状態では、図２の通り演出用表示部１８の右側に位置しており、展開状態では、図３の通り演出用表示部１８の前側に展開する。基側可動装飾部２２ないし先側可動装飾部２４は、ランプ（図示せず）を内蔵している。
センター装飾部材２０の下方の遊技盤２前面には、遊技球が入賞可能である始動入賞口２６と、開閉可能な扉部材を有する第１大入賞装置２８が配置されている。又、これらの右方の遊技盤２前面には、遊技球が入賞可能である入賞装置３０と、開閉可能な扉部材を有する第２大入賞装置３２が配置されている。入賞装置３０は、上部に図示しない遊技球の第１のセンサを内蔵していると共に、その下方に図示しない可動体を内蔵しており、可動体が開状態であるか閉状態であるかによって、遊技球を図示しない第２のセンサの配された通路に導くか、当該センサの配されない通路に導くかが振り分けられる。
尚、遊技盤２の前面には、多数の遊技釘や、他の入賞口、他の装飾部材も配置されている。
又、遊技盤２の前面右下部であって遊技領域４の右下外には、図柄表示部３４が設けられている。図柄表示部３４には、第１特別図柄及び第２特別図柄を別個に表示可能である特別図柄表示部３６と、普通図柄を表示可能である普通図柄表示部３８が設けられている。
【００１３】
加えて、機枠６の前面側であって前扉１０の下方には、遊技球を貯留する供給皿４０と、供給皿４０から溢れた遊技球を貯留する貯留皿４２が取り付けられている。供給皿４０は、前扉１０の開放により、機枠６に対して片開き可能であり、貯留皿４２は、ミドル枠８の開放により、機枠６に対して片開き可能である。
又、貯留皿４２の右側には、遊技領域４に対する遊技球の打ち込み強度を調節するためのハンドル４４が回転操作可能に設置されている。加えて、供給皿４０の前部には、遊技者が任意に押込操作可能なボタン４６が設けられている。
更に、前扉１０の上部には、効果音や各種メッセージ等を報音する一対のスピーカ４８，４８が設けられており、前扉１０の両側部には、遊技状態等に応じて点灯（適宜点滅を含む）する複数のＬＥＤを内蔵したランプ部材５０，５０が設けられている。
【００１４】
他方、機枠６の後面側であって、ハンドル４４の後側には、供給皿４０から供給された遊技球を発射する発射装置５２が設けられている。発射装置５２は、ハンドル４４と接続されており、ハンドル４４の回転操作に応じた打ち込み強度において、遊技球を発射通路１６（遊技領域４）へ発射する。
機枠６の後面側の上部には、島設備からの遊技球を貯留するための貯留タンク５４が配置されている。又、貯留タンク５４の下側には、貯留タンク５４と連結されて供給皿４０への遊技球（貸球や賞品球）の払い出しを行う払出装置５６が配置されており、その周囲には払出装置５６における払い出し動作を制御する払出制御装置５８が配置されている。更に、払出制御装置５８に隣接して、各種の制御装置や装置・部材に電源電圧を供給するための電源装置６０が設置されている。
又、機枠６内の後面側中央には、センターカバー６２が設置されており、その内部には、各種の装置等（図示せず）が収められている。
当該装置としては、遊技に係る主たる制御（大当たり抽選や当たり抽選や各種入賞口の開閉等）を実行する決定手段としてのメイン制御装置や、表示装置の表示動作（演出用表示部１８における表示態様）等を制御する表示制御装置、ランプ部材５０，５０等の点灯動作等を制御する発光制御装置、スピーカ４８，４８からの報音動作等を制御する音制御装置、当該表示制御装置や音制御装置等の動作を統合して制御し、可動装飾装置２５等の動作を制御するサブ制御装置等を挙げることができる。
尚、機枠６の後面側には、トランスに接続されるプラグ６４と、アース６６が接続されている。
【００１５】
［パチンコ機の全体動作等］
上述のように構成されるパチンコ機１の全体的な動作の例を説明する。
パチンコ機１において、遊技者はハンドル４４を回転操作して発射装置５２を作動させ、遊技球を遊技領域４に打ち込む。
センター装飾部材２０左上部の遊技球通路内を（いわゆる左打ちにより）流下させた遊技球が始動入賞口２６に入賞すると、メイン制御装置は始動入賞口２６のセンサ（図示せず）からの信号によりその入賞を把握して、大当たり抽選を実行する。メイン制御装置は、大当たり抽選の結果が大当たりであると、サブ制御装置等による図柄の変動表示を始めとする各種の演出を経て、表示制御装置を通じ特別図柄表示部３６の第１特別図柄表示部や演出用表示部１８に所定の大当たり図柄（例えば「７７７」）を確定表示させる。
メイン制御装置は、大当たり図柄の確定表示後、通常閉じている第１大入賞装置２８の扉を所定回数に亘り断続的に開く（いわゆる大当たり状態）。メイン制御装置は、扉の開いた第１大入賞装置２８に遊技球が入賞すると、第１大入賞装置２８のセンサによりこれを把握し、払出制御装置５８を通じて払出装置５６により所定数の遊技球を供給皿４０へ払い出す。遊技者は、大当たり状態において、比較的に多数の遊技球を得るため、主に左打ちにより第１大入賞装置２８への入賞を狙うことになる。尚、大当たり状態は、比較的に多数の遊技球を得ることが可能であるため、遊技者にとって有利な遊技状態である。
【００１６】
又、メイン制御装置は、大当たり状態の終了後、特別図柄表示部３６における第１特別図柄及び第２特別図柄の合計の確定表示回数が所定回数に達するまで、いわゆる時短状態を生起する。当該時短状態は、入賞装置３０へ入賞した遊技球について入賞装置３０の第１のセンサにより検知されたことに起因して実行される当たり抽選の結果が当たりとなり易い状態である。メイン制御装置は、入賞装置３０に係る第１のセンサによる遊技球の検知に基づいて、図柄表示部３４の普通図柄表示部３８における普通図柄の変動表示を適宜経た確定表示を実行し、当たり抽選の結果が当たりである場合、普通図柄表示部３８において当たり図柄を確定表示して、入賞装置３０の可動体を開状態にする（当たり状態）。
メイン制御装置は、可動体が開状態となって入賞装置３０に係る第２のセンサにより遊技球の通過が検知されると、始動入賞口２６への入賞時と同様に、大当たり抽選ないしその結果に基づく制御等を実行する。但し、第２のセンサによる検知時には、第２特別図柄表示部における第２特別図柄が変動表示される。第２特別図柄に係る大当たり抽選の結果が大当たりである場合、メイン制御装置は、第２特別図柄に係る大当たり図柄を第２特別図柄表示部において確定表示して、第２大入賞装置３２を断続的に開き、第２大入賞装置３２への遊技球の入賞に応じて、遊技球の払出を指令する。
従って、遊技者は、大当たり状態終了後の時短状態において、いわゆる右打ちにより、遊技球についてセンター装飾部材２０右部の遊技球通路内を流下させ、入賞装置３０や第２大入賞装置３２に対する遊技球の入賞を狙うことになる。尚、時短状態は、第２のセンサによる検知が通常よりも容易になる当たり状態を通常よりも高い確率で生起することが可能な状態であるため、遊技者にとって有利な遊技状態である。
そして、時短状態において、大当たり状態が生起することなく特別図柄表示部３６における第１特別図柄及び第２特別図柄の合計の確定表示回数が所定回数に達すると、時短状態が終了し、始動入賞口２６への入賞を左打ちにより狙う遊技へ戻る。
【００１７】
［可動装飾装置の構成等］
次に、主に可動装飾装置２５の構成について説明する。
図５（ａ）は収納状態の可動装飾装置２５の前面説明図であり、図５（ｂ）は収納状態の可動装飾装置２５に係る各種の装飾体を外した場合の前面説明図であり、図６（ａ）は可動装飾装置２５の後面説明図であり、図６（ｂ）は収納状態の可動装飾装置２５に係る各種の装飾体を外した場合の後面説明図であり、図７（ａ）は図５（ａ）の状態から展開状態となった可動装飾装置２５の前面説明図であり、図７（ｂ）は図５（ｂ）の状態から展開状態となった可動装飾装置２５の前面説明図であり、図８（ａ）は図６（ａ）の状態から展開状態となった可動装飾装置２５の後面説明図であり、図８（ｂ）は図６（ｂ）の状態から展開状態となった可動装飾装置２５の後面説明図であり、図９は可動装飾装置２５の分解斜視説明図（前面・右面・上面）であり、図１０は可動装飾装置２５の各種の装飾体を外した場合における分解斜視説明図（前面・右面・上面）であり、図１１は可動装飾装置２５の分解斜視説明図（後面・左面・上面）であり、図１２は可動装飾装置２５の各種の装飾体を外した場合における分解斜視説明図（後面・左面・上面）である。
可動装飾装置２５は、基側可動装飾部２２ないし先側可動装飾部２４と、基側可動装飾部２２の下側に配置される駆動部７０とを有する。
【００１８】
駆動部７０は、上下左右に延びる板状の固定ベース７２と、固定ベース７２の後面に固定される駆動手段としてのモータ７４と、固定ベース７２の前側に配置されモータ７４の回転軸７５に固定されるモータギア７６と、モータギア７６に噛み合うカムギア７８を有する。可動装飾装置２５において、モータ７４は１個である。
固定ベース７２の周囲には、前方へ突出するリブ８０が設けられている。固定ベース７２は、複数のネジボス部８２，８２・・に入れられる図示しないネジを介して、遊技盤２に対し固定されている。
モータ７４は、ネジ孔部９０，９０を左右に有しており、各ネジ孔部９０は固定ベース７２に開けられたモータネジ孔９２，９２に合わさっていて、後から図示しないネジが入れられている。モータ７４の回転軸７５は、固定ベース７２の回転軸孔９４を通っている。
モータギア７６の中央には、モータギア孔部９６が設けられている。モータギア孔部９６は、前面から前方に円筒状に突出しており、孔においてモータ７４の回転軸７５を受け入れている。
カムギア７８の中央には、カムギア孔部９８が設けられている。カムギア孔部９８は、後面から後方へ円筒状に突出しており、固定ベース７２の前面から前方に細円柱状に突出するカムギア軸部１００を受け入れている。又、カムギア孔部９８の隣接部位には、カムギア７８の前面から前方に突出する円柱状のボス１０２が設けられている。更に、カムギア７８の後面には、後方に円筒状に突出するガイドボス１０４が設けられている。固定ベース７２におけるカムギア軸部１００の下側を囲むように、固定ベース７２前面の他の部分に対して後方へ凹むカムギア案内溝部１０６が設けられており、カムギア案内溝部１０６にカムギア７８のガイドボス１０４が入っている。固定ベース７２において、カムギア案内溝部１０６は後面から後方に膨出している。
【００１９】
基側可動装飾部２２は、基側装飾体１１２と、基側ベース１１４と、ワッシャ１１６，１１６とを有する。
基側装飾体１１２は、キャラクターの顔ないし胸を表している。
基側ベース１１４は、前面視で左右が逆のＬ字状のアーム状部分の左上部に板状部分を延設した形状を呈しており、当該アーム状部分の下部はそのすぐ上側の部分に対して左方に突出する基側下アーム部１２０となっていて、基側下アーム部１２０の左先端部には、左右に延びる基側長孔部１２２が設けられている。基側長孔部１２２は、基側下アーム部１２０の後面から後方に突出している。基側下アーム部１２０の右部（当該アーム状部分のコーナー部）には、基側ベース回転軸孔部１２３が設けられている。基側ベース回転軸孔１２３は、基側ベース１１４の後面から後方に円筒状に突出している。基側下アーム部１２０の後面の辺部ないし基側長孔部１２２と基側ベース回転軸孔部１２３との間には、後方に突出する格子状のリブ１２４が設けられている。
又、基側ベース１１４における当該板状部分の前面には、前方へ突出する格子状のリブ１２６が設けられており、当該板状部分には、基側装飾体用ボス孔部１２８，１２８・・が設けられている。基側装飾体１１２には、各基側装飾体用ボス孔部１２８に対応する図示しない複数のボスが設けられており、当該ボスが対応する基側装飾体用ボス孔部１２８に入ることで、基側ベース１１４に対して基側装飾体１１２が位置決めされる。
基側ベース１１４の基側ベース回転軸孔部１２３は、その前後に配置されるワッシャ１１６，１１６を介して、基側ベース１１４の前面から前方へ細円柱状に突出するように設けられた基側ベース回転軸部１３２を受け入れており、基側ベース１１４が基側ベース回転軸部１３２の周りで揺動可能に設けられている。基側ベース回転軸部１３２は、モータギア９６の上方に配置されている。
【００２０】
先側可動装飾部２４は、先側装飾体１４２と、先側ベース１４４とを有する。
先側装飾体１４２は、前腕を表している。先側装飾体１４２は、前方に膨出し後部が開口する、長い碗状の形状を呈している。
先側ベース１４４は、先側装飾体１４２の後部開口内に当てはまる形状の板状部材である。先側ベース１４４の前面には、前方へ突出する格子状（辺部を含む）のリブ１５０が設けられており、リブ１５０の間には、スリット状の肉抜き１５２，１５２・・が設けられている。又、先側ベース１４４には、ネジ孔１５４，１５４・・が設けられており、先側装飾体１４２には、対応するネジボス部（図示せず）が設けられて、図示しないネジにより先側ベース１４４に先側装飾体１４２が固定されている。
先側ベース１４４の収納状態における下基端部（展開状態における右基端部）の前面には、それぞれ前方に細円柱状に突出する、先側ベース第１軸１５６，先側ベース第２軸１５８が設けられる。先側ベース第１軸１５６は、収納状態において先側ベース第２軸１５８の右側にあり、展開状態において先側ベース第２軸１５８の上側にある。
【００２１】
先側ベース１４４と固定ベース７２は、固定側先側間第１アーム１６０と、固定側先側間第２アーム１６２により連結されている。
固定側先側間第１アーム１６０は、略上下に延びる鉤状の部材であり、上端部には、後面から後方に円筒状に突出する先側ベース第１軸用孔部１６４が設けられている。先側ベース第１軸用孔部１６４には、先側ベース第１軸１５６が入っていて、先側ベース１４４に対して固定側先側間第１アーム１６０が相対的に回転可能となっている。
先側ベース第１軸用孔部１６４に隣接して、後面から後方に円筒状に突出するリンク装飾体用ネジ孔部１６６，１６６が並べられている。固定側先側間第１アーム１６０には、リンク装飾体１６８が取り付けられる。リンク装飾体１６８は、上腕を表しており、その後面には、後方に円筒状に突出するリンク装飾体ネジボス部１７０，１７０が設けられている。各リンク装飾体ネジボス部１７０は、対応するリンク装飾体用ネジ孔部１６６と合った状態で、図示しないネジを受け入れている。
固定側先側間第１アーム１６０の下端部には、前面から前方に円筒状に突出すると共に、後面から後方に円筒状に突出する固定ベース用孔部１７６が設けられている。固定ベース７２の後面であって、カムギア案内溝部１０６の上方には、細円柱状に後方に突出する第１アーム用回転軸１７８が設けられており、第１アーム用回転軸１７８が固定ベース用孔部１７６に入っていて、固定ベース７２に対し固定側先側間第１アーム１６０が揺動可能とされている。
第１アーム用回転軸１７８の上方には、前面から前方に円筒状に突出すると共に、後面から後方に円筒状に突出するリンクアーム用孔部１８０が設けられている。
リンクアーム用孔部１８０の右方には、後面から後方に円柱状に突出するガイド突起１８２が設けられる。ガイド突起１８２は、後部（先端部）にボビン状部分を有しており、当該ボビン状部分は、遊技盤２側に設けられた図示しないガイド溝に入っている。当該ガイド溝は、固定側先側間第１アーム１６０の回転（揺動）によりガイド突起１８２のボビン状部分が辿る軌跡に合うように形成されている。
先側ベース第１軸用孔部１６４から、リンク装飾体用ネジ孔部１６６，１６６ないしはリンクアーム用孔部１８０を経て、固定ベース用孔部１７６に至るまでの中央部分、並びに固定側先側間第１アーム１６０辺部には、後面から後方に突出するリブ１８３が設けられている。
【００２２】
固定側先側間第２アーム１６２は、略上下に延びるく字状の部材であり、上端部には、前面から前方に円筒状に突出する先側ベース第２軸用孔部１８４が設けられている。先側ベース第２軸用孔部１８４には、先側ベース第２軸１５８が入っており、固定側先側間第２アーム１６２は先側ベース１４４に対して相対的に回転可能となっている。
固定側先側間第２アーム１６２の下端部には、前面から前方に円筒状に突出すると共に、後面から後方に円筒状に突出する固定ベース用孔部１８６が設けられている。固定ベース７２の後面であって、第１アーム用回転軸１７８の右方には、細円柱状に後方に突出する第２アーム用回転軸１８８が設けられており、第２アーム用回転軸１８８が固定ベース用孔部１８６に入っていて、固定ベース７２に対し固定側先側間第２アーム１６２が揺動可能とされている。
先側ベース第２軸用孔部１８４から固定ベース用孔部１８６に至るまでの中央部分、並びに固定側先側間第２アーム１６２の辺部には、前面から前方に突出するリブ１９０が設けられている。
【００２３】
そして、基側ベース１１４と固定側先側間第１アーム１６０は、リンクアーム２００により連結されている。
リンクアーム２００は、左右に長いＪ字状の部材であり、右端部には、前面から前方に円筒状に突出する基側用リンク孔部２０２が設けられている。基側用リンク孔部２０２には、基側ベース１１４の後面中央右部から後方に細円筒状に突出した基側リンク軸２０３が入っていて、基側ベース１１４に対しリンクアーム２００が相対的に回転可能とされている。
リンクアーム２００の左端部には、前面から前方に円筒状に突出すると共に後面から後方に細円筒状に突出するアーム用リンク軸部２０４が設けられている。アーム用リンク軸部２０４（後方突出部分）は、固定側先側間第１アーム１６０のリンクアーム用孔部１８０に入っていて、リンクアーム２００に対し固定側先側間第１アーム１６０が相対的に回転可能とされている。
リンクアーム２００の前面には、前方へ突出するリブ２０６が設けられている。リブ２０６は、リンクアーム２００の上下辺部に配置されており、又基側用リンク孔部２０２からアーム用リンク軸部２０４にかけての、リンクアーム２００の上下方向における中央に配置されている。
【００２４】
固定側先側間第１アーム１６０と、固定側先側間第２アーム１６２と、リンクアーム２００により、リンク機構２１０が構成される。
尚、これらのうちの任意の一部をリンク機構と捉えることも可能である。
【００２５】
［可動装飾装置の動作等］
続いて、主に可動装飾装置２５の作動例について説明する。
通常、可動装飾装置２５は、収納状態となっており、演出用表示部１８の右側において折り畳まれている。
メイン制御装置は、所定の遊技状態（例えば大当たり抽選の結果が大当たりである場合の図柄変動中）であることを把握すると、サブ制御装置や表示制御装置を介して、駆動部７０のモータ７４に対する通電を行う。
通電によりモータ７４が駆動され、回転軸７５が回転してモータギア７６が回転すると、これに噛み合うカムギア７８が回転し、カムギア７８のボス１０２が円弧上を移動する。カムギア７８の回転中、ガイドボス１０４が固定ベース７２のカムギア案内溝部１０６に案内されるので、カムギア７８やボス１０２のブレを防止して安定した動作を確保することができる。
【００２６】
カムギア７８のボス１０２は、その移動により、基側長孔部１２２を介して基側ベース１１４の基側下アーム部１２０を下げる。
すると、基側ベース１１４は、基側ベース回転軸孔部１２３において、基側ベース回転軸部１３２の周りで回転し、基側ベース１１４は上部が左に移動するように傾く。基端ベース１１４が左に傾くと、基側装飾体１１２も併せて傾く。
【００２７】
又、基端ベース１１４が傾くと、リンクアーム２００が基端ベース１１４に対して相対的に回転する。即ち、基端ベース１１４の基側リンク軸２０３がリンクアーム２００の基側用リンク孔部２０２を移動させる。
すると、リンクアーム２００のアーム用リンク軸部２０４が、固定ベース７２の第１アーム用回転軸１７８に対して上方となる位置から右上方となる位置へ、右方に移動する。この移動により、固定側先側間第１アーム１６０のリンクアーム用孔部１８０が右方に押され、固定側先側間第１アーム１６０が固定ベース用孔部１７６において第１アーム用回転軸１７８の周りで回転する。この固定側先側間第１アーム１６０の回転において、ガイド突起１８２がガイド溝に案内されるので、回転のブレが防止されて、固定側先側間第１アーム１６０やこれにリンクする部材の動作がより安定する。
【００２８】
そして、この固定側先側間第１アーム１６０の回転により、先側ベース第１軸用孔部１６４を通じて先側ベース第１軸１５６が大きく回転移動し、先側ベース１４４が右に移動する。
又、この先側ベース１４４の移動に付随して、先側ベース第２軸１５８ないしは先側ベース第２軸用孔部１８４を通じ、固定側先側間第２アーム１６２も、固定ベース用孔部１７６において第１アーム用回転軸１７８の周りで回転する。先側ベース第２軸１５８（先側ベース第２軸用孔部１８４）は、先側ベース第１軸１５６（先側ベース第１軸用孔部１６４）に対して、左方（更に僅かに下方）の位置から、下方（更に僅かに右方）の位置となるまで相対的に移動する。即ち、先側ベース第２軸１５８（先側ベース第２軸用孔部１８４）は、先側ベース第１軸１５６（先側ベース第１軸用孔部１６４）に対して、相対的に回転移動する（約１００°程度）。
固定側先側間第１アーム１６０は、リンクアーム２００に押される能動側の部材であり、固定側先側間第２アーム１６２は、先側ベース１４４の移動に伴って動く受動側の部材である。
【００２９】
先側ベース１４４は、かような固定側先側間第１アーム１６０と固定側先側間第２アーム１６２に連結されることにより、収納状態から展開状態において位置や姿勢を変える。位置や姿勢の変化（移動の態様）は、固定側先側間第１アーム１６０ないし固定側先側間第２アーム１６２の長さと配置により決まる。即ち、固定ベース用孔部１７６，１８６の位置に対する、先側ベース第１軸用孔部１６４，先側ベース第２軸用孔部１８４の位置により決まる。
可動装飾装置２５では、主に固定側先側間第１アーム１６０と固定側先側間第２アーム１６２により、先側ベース１４４の位置が右上から左下に変化する。又、主に固定側先側間第２アーム１６２（固定側先側間第１アーム１６０に対する相対的な回転）により、先側ベース１４４が固定側先側間第１アーム１６０（正確には固定側先側間第１アーム１６０の作用も伴うのでその近傍）の周りで回転して、略上下方向の姿勢から略左右方向の姿勢となる。かような先側ベース１４４の位置変化と姿勢変化は、収納状態から展開状態にかけて渾然と行われ、又リンクアーム２００を通じ基側ベース１１４の傾動に伴って行われる。可動装飾装置２５では、先側ベース１４４の固定側先側間第１アーム１６０の周りにおける回転の速度が、基側ベース１１４の傾動の速度より速い。
基側ベース１１４には、キャラクターの顔ないし胸を表す基側装飾体１１２が取り付けられており、先側ベース１４４には、キャラクターの前腕を表す先側装飾体１４２が取り付けられている。よって、顔ないし胸が右に傾くことに伴い、前腕が右上から左前へ顔等の傾動の速度より速い速度で振り下ろされる動作が自然に表現される。又、固定側先側間第１アーム１６０には、キャラクターの上腕を表すリンク装飾体１６８が取り付けられており、リンク装飾体１６８が、基側ベース１１４の動作を規制のうえで行う固定側先側間第１アーム１６０と一体に動くので、顔ないし胸の左方への乗り出しや前腕の左方への振り下ろしに併せて、上腕が胸と前腕の間で左方へ突き出されることとなり、より自然な動作が表現される。
【００３０】
サブ制御装置は、モータ７４の回転軸７５の回転方向や回転量を制御し、収納状態の位置から展開状態の位置までにおける基側可動装飾部２２や先側可動装飾部２４の移動や、それらの位置以内の任意の中間位置の間における移動を行う。
又、サブ制御装置は、基側可動装飾部２２ないし先側可動装飾部２４のランプも任意に点消灯することができる。ランプの点灯パターンは、可動装飾装置２５やその他の部材（演出用表示部１８やスピーカ４８，４８やランプ部材５０，５０等）の動作パターンに連動させることができる。
【００３１】
［パチンコ機の効果等］
以上のパチンコ機１では、収納状態から展開状態まで回転可能な基側可動装飾部２２と、基側可動装飾部２２に隣接しており、収納状態から展開状態まで移動可能である先側可動装飾部２４と、先側可動装飾部２４に連結された固定側先側間第１アーム１６０及び固定側先側間第２アーム１６２を含むリンク機構２１０と、先側可動装飾部２４を駆動するモータ７４とを備えている。
よって、基側可動装飾部２２が回転すると共に先側可動装飾部２４がリンク機構２１０により移動する動作を実現することができ、収納状態でコンパクトでありながら、機械的ではないリアルな動作が可能であり、又特に先側可動装飾部２４についての大きな動作が可能である可動装飾装置２５を備えたパチンコ機１を提供することができる。
又、リンク機構２１０は、基側可動装飾部２２と固定側先側間第１アーム１６０を連結するリンクアーム２００を有している。
よって、基側可動装飾部２２の回転に応じて先側可動装飾部２４を移動させるリンク機構２１０が作動し、基側可動装飾部２２と先側可動装飾部２４の興趣深い連動を実現することができる。
【００３２】
［変更例等］
尚、主に上記形態を変更して成る、本発明の他の形態を例示する。
リンク機構は、更に固定側先側間第３アームを含んでも良いし、４ないし５あるいはそれ以上の数のアームを含んでも良い。
リンクアームは、基側可動装飾部と固定側先側間第２アームとの間に連結されても良いし、遊技盤側（駆動部）と固定側先側間第１アームとの間に連結されても良いし、遊技盤側（例えば固定ベース）と固定側先側間第２アームとの間に連結されても良い。リンクアームを複数設けても良い。
モータは、先側可動装飾部を駆動しても良いし、固定側先側間第１アームを駆動しても良いし、固定側先側間第２アームを駆動しても良いし、リンクアームを駆動しても良い。モータを複数設けても良い。
可動装飾部材を、演出用表示部の上に配置しても良いし、下に配置しても良いし、左に配置しても良いし、遊技盤の他の部分に配置しても良い。可動装飾部材を複数設けても良い。
基側可動装飾部の下側に先側可動装飾部を配置しても良いし、基側可動装飾部の右側に先側可動装飾部を配置しても良いし、基側可動装飾部の上側に先側可動装飾部を配置しても良いし、基側可動装飾部の斜方に先側可動装飾部を配置しても良い。基側可動装飾部の前側に先側可動装飾部を配置しても良い。
収納状態において、基側可動装飾部又は先側可動装飾部の少なくとも一方が遊技盤側（例えば不動のあるいは可動の装飾部材）に全部隠れるように配置することができる。又、収納状態において、基側可動装飾部又は先側可動装飾部の少なくとも一方の全体が見えるようにしても良いし、展開状態でも基側可動装飾部又は先側可動装飾部の少なくとも一方が未だ一部隠れるようにしても良い。
駆動手段は、ソレノイドを始めとする、モータ以外の駆動源を採用して良い。
各種の装飾体は、キャラクターの上半身以外のモチーフを表すものであっても良い。
可動装飾部材において、ワッシャや各種ガイド突起やネジやリブや各種ギア等につき省略したり数を増減したり形状を変更したりして良いし、ネジに代えてピンを用いたり、ネジとネジボス部に代えて爪とその係止部を用いたりしても良い。
基側可動装飾部の収納状態や先側可動装飾部の収納状態を、これらや各種アームの位置により検知する収納状態センサが設けられても良いし、同様に展開状態を検知する展開状態センサが設けられても良いし、任意の状態を検知するセンサが設けられても良い。これらのセンサは、サブ制御装置等と電気的に接続することができ、サブ制御装置等は、これらのセンサ（による検知信号）を、モータに係る駆動停止や回転方向反転等の制御や、演出用表示部における表示態様の制御等に用いることができる。
【００３３】
加えて、上記実施形態では、遊技機の一例であるパチンコ機について説明しているが、本発明は、例えば封入式パチンコ機やスロットマシンといった他の遊技機に対しても当然適用可能である。
尚、特許請求の範囲、明細書及び図面に記載される全ての要素（例えば、制御手段や図柄表示部、特別入賞手段、演出用表示部等）は、個数を意識的に限定する明確な記載がない限り、物理的に単一であっても複数であっても構わないし、適宜配置の変更が行われても構わない。又、特許請求の範囲や明細書等で使用している要素名（要素につけた名称）は、単に本件の記載のために便宜上付与したに過ぎないものであり、それによって特別な意味が生じることを特に意識したものではない。即ち、要素名のみによって要素が何であるかが限定解釈されるものではない。例えば、「制御手段」は、ハードウェア単体でも、ソフトウェアを含んだものであっても構わない。更には、全ての要素の内の複数の要素を適宜一体に構成するか、若しくは一つの要素を複数の要素に分けて構成するかは、敢えて特許請求の範囲等において特定していない限り、何れも当業者であれば容易に考えられる事項である。従って、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００３４】
１・・パチンコ機（遊技機）、２２・・基側可動装飾部（第１装飾部材）、２４・・先側可動装飾部（第２装飾部材）、７４・・モータ（駆動手段）、１６０・・固定側先側間第１アーム、１６２・・固定側先側間第２アーム、２００・・リンクアーム、２１０・・リンク機構。
【図１】
0006647510.tif 000002
【図２】
0006647510.tif 000003
【図３】
0006647510.tif 000004
【図４】
0006647510.tif 000005
【図５】
0006647510.tif 000006
【図６】
0006647510.tif 000007
【図７】
0006647510.tif 000008
【図８】
0006647510.tif 000009
【図９】
0006647510.tif 000010
【図１０】
0006647510.tif 000011
【図１１】
0006647510.tif 000012
【図１２】
0006647510.tif 000013